(57)【要約】【課題】歌詞や楽譜等の音楽情報を利用者の用途に応じた形態で印刷する。【解決手段】歌詞の印刷を印刷注文情報として注文情報データベース４４に登録して管理する歌詞注文管理システム２０において、端末１０−１〜１０−ｎにて指定された印刷物の形態を印刷注文情報に含めて注文情報データベース４４に登録し、また、注文情報データベース４４に登録された印刷注文情報に基づいて、端末１０−１〜１０−ｎにて印刷が指定された歌詞を、歌詞情報データベース４１から検索して印刷する印刷システム５０において、注文情報データベース４４に登録された印刷注文情報に基づいて、端末１０−１〜１０−ｎにて指定された歌詞を、端末１０−１〜１０−ｎにて指定された形態の印刷物として印刷する。【選択図】図１
2007317106.tif 000002
【特許請求の範囲】
【請求項１】
通信回線に接続可能な端末にて指定された音楽情報を印刷して印刷物として提供する音楽情報印刷システムであって、
前記通信回線を介して前記端末からアクセス可能に構成され、前記端末にて指定された前記音楽情報の印刷を印刷注文情報として注文情報データベースに登録して管理する注文管理手段と、
前記注文情報データベースに登録された印刷注文情報に基づいて、前記端末にて印刷が指定された音楽情報を、複数の音楽情報が登録された音楽情報データベースから検索して印刷する印刷手段とを有し、
前記注文管理手段は、前記音楽情報が印刷された前記印刷物の形態を指定可能な情報画面を前記端末に提供し、該端末にて指定された形態を前記印刷注文情報に含めて前記注文情報データベースに登録し、
前記印刷手段は、前記注文情報データベースに登録された印刷注文情報に基づいて、前記端末にて指定された音楽情報を、前記端末にて指定された形態の印刷物として印刷する音楽情報印刷システム。
【請求項２】
通信回線に接続可能な端末にて指定された音楽情報を印刷して印刷物として提供する音楽情報印刷システムであって、
前記通信回線を介して前記端末からアクセス可能に構成され、前記端末にて音楽配信が指定された場合に該指定された音楽を当該端末に配信し、前記端末にて前記音楽情報の印刷が指定された場合に前記音楽情報が印刷された前記印刷物の形態を指定可能な情報画面を当該端末に提供する音楽配信手段と、
前記端末にて指定された前記音楽情報の印刷及び前記印刷物の形態を印刷注文情報として注文情報データベースに登録して管理する注文管理手段と、
前記注文情報データベースに登録された印刷注文情報に基づいて、前記端末にて印刷が指定された音楽情報を、複数の音楽情報が登録された音楽情報データベースから検索し、前記端末にて指定された形態の印刷物として印刷する印刷手段とを有し、
前記音楽配信手段は、前記端末にて指定された前記音楽情報の印刷及び前記印刷物の形態を前記注文管理手段に通知し、
前記注文管理手段は、前記音楽配信手段から通知された前記音楽情報の印刷及び前記印刷物の形態を前記印刷注文情報として前記注文情報データベースに登録して管理する音楽情報印刷システム。
【発明の詳細な説明】
【技術分野】
【０００１】
本発明は、歌詞や楽譜等の音楽情報を印刷する音楽情報印刷システムに関する。
【背景技術】
【０００２】
従来、楽曲等の音楽を取得する場合は、ＣＤやレコード等の記録媒体を購入することが行われていた。その場合、購入したＣＤやレコード等の記録媒体には、それに記録された音楽の歌詞が記載された歌詞カードや冊子が添付されており、購入者は、その歌詞カードや冊子によって音楽の歌詞を知ることができ、音楽を視聴しながら歌詞を口ずさむことが可能となる。
【０００３】
近年、インターネットの普及に伴い、インターネットを介して音楽を配信するサービスが行われている。このサービスを利用する場合は、音楽を配信するサイトに携帯電話やパソコン等を用いてアクセスし、所望の音楽を指定することにより、そのサイトから音楽をダウンロードすることができる。
【０００４】
ところが、このように音楽を携帯電話やパソコンにインターネットを介してダウンロードした場合、上述したようなＣＤやレコード等の記録媒体を購入した場合のように音楽の歌詞が記載された歌詞カードや冊子が添付されていないため、ダウンロードによって音楽を取得したユーザは、その音楽の歌詞を知ることができない。
【０００５】
ここで、携帯電話にて指定された音楽の歌詞を印刷して提供するシステムが特許文献１に開示されている。このシステムにおいては、楽曲等の音楽の歌詞データがテキストデータやイメージデータとして検索装置にて管理されており、携帯電話がネットワークを介して検索装置にアクセスし、所望の音楽が指定されることにより、その音楽の歌詞データがファクシミリ装置やコピー機、プリンタ等の印刷装置に送信され、指定された音楽の歌詞がファクシミリ装置やコピー機、プリンタ等の印刷装置にて印刷される。これにより、上述したように音楽を携帯電話やパソコンにダウンロードした場合であっても、ダウンロードによって音楽を取得したユーザは、ダウンロードした音楽の歌詞を知ることができるようになる。
【特許文献１】特開２００２−２７８５６１号公報
【発明の開示】
【発明が解決しようとする課題】
【０００６】
しかしながら、特許文献１に開示されたシステムにおいては、検索装置にて管理されているテキストデータやイメージデータからなる歌詞データがそのまま印刷されることになるため、歌詞が印刷された印刷物の形態が一義的に決められたものとなり、それにより、歌詞カードとして保管したり、手帳に綴じて保管したり、ポストカードとして送ったりというように、用途に応じた形態とはならず、その後に利用者が用途に応じて加工しなければならなかったり、用途によっては加工できずに利用することができなくなったりしてしまうという問題点がある。
【０００７】
本発明は、上述したような従来の技術が有する問題点に鑑みてなされたものであって、歌詞や楽譜等の音楽情報を利用者の用途に応じた形態で印刷することができる音楽情報印刷システムを提供することを目的とする。
【課題を解決するための手段】
【０００８】
上記目的を達成するために本発明は、
通信回線に接続可能な端末にて指定された音楽情報を印刷して印刷物として提供する音楽情報印刷システムであって、
前記通信回線を介して前記端末からアクセス可能に構成され、前記端末にて指定された前記音楽情報の印刷を印刷注文情報として注文情報データベースに登録して管理する注文管理手段と、
前記注文情報データベースに登録された印刷注文情報に基づいて、前記端末にて印刷が指定された音楽情報を、複数の音楽情報が登録された音楽情報データベースから検索して印刷する印刷手段とを有し、
前記注文管理手段は、前記音楽情報が印刷された前記印刷物の形態を指定可能な情報画面を前記端末に提供し、該端末にて指定された形態を前記印刷注文情報に含めて前記注文情報データベースに登録し、
前記印刷手段は、前記注文情報データベースに登録された印刷注文情報に基づいて、前記端末にて指定された音楽情報を、前記端末にて指定された形態の印刷物として印刷する。
【０００９】
上記のように構成された本発明においては、通信回線に接続可能な端末において、注文管理手段から提供される画面を用いて、印刷を行う音楽情報の印刷及びその印刷物の形態が指定されると、注文管理手段において、端末にて指定された音楽情報及び印刷物の形態が印刷注文情報として注文情報データベースに登録して管理される。その後、印刷手段において、注文情報データベースに登録された印刷注文情報に基づいて、端末にて印刷が指定された音楽情報が、複数の音楽情報が登録された音楽情報データベースから検索され、検索された音楽情報が端末にて指定された形態の印刷物として印刷される。
【００１０】
このように、端末にて印刷が指定された音楽情報が、端末にて指定された形態の印刷物として印刷されるので、歌詞や楽譜等の音楽情報が利用者の用途に応じた形態で印刷されることになる。
【００１１】
また、通信回線に接続可能な端末にて指定された音楽情報を印刷して印刷物として提供する音楽情報印刷システムであって、
前記通信回線を介して前記端末からアクセス可能に構成され、前記端末にて音楽配信が指定された場合に該指定された音楽を当該端末に配信し、前記端末にて前記音楽情報の印刷が指定された場合に前記音楽情報が印刷された前記印刷物の形態を指定可能な情報画面を当該端末に提供する音楽配信手段と、
前記端末にて指定された前記音楽情報の印刷及び前記印刷物の形態を印刷注文情報として注文情報データベースに登録して管理する注文管理手段と、
前記注文情報データベースに登録された印刷注文情報に基づいて、前記端末にて印刷が指定された音楽情報を、複数の音楽情報が登録された音楽情報データベースから検索し、前記端末にて指定された形態の印刷物として印刷する印刷手段とを有し、
前記音楽配信手段は、前記端末にて指定された前記音楽情報の印刷及び前記印刷物の形態を前記注文管理手段に通知し、
前記注文管理手段は、前記音楽配信手段から通知された前記音楽情報の印刷及び前記印刷物の形態を前記印刷注文情報として前記注文情報データベースに登録して管理する構成とすることも考えられる。その場合、注文管理手段においては、音楽配信手段から通知された音楽情報の印刷を印刷注文情報として注文情報データベースに登録して管理することになる。
【００１２】
また、前記注文管理手段や前記音楽配信手段が、前記音楽情報とともに前記印刷物に印刷される画像情報、及び前記印刷物のレイアウトを指定可能な画面を前記端末に提供し、該端末にて指定された画像情報の印刷及びレイアウトの使用を前記印刷注文情報に含めて前記注文情報データベースに登録し、前記印刷手段が、前記注文情報データベースに登録された印刷注文情報に基づいて、前記端末にて指定された音楽情報を、前記端末にて指定された画像情報とともに、前記端末にて指定されたレイアウトで、前記端末にて指定された形態の印刷物として印刷する構成とすることも考えられる。このように構成することで、端末にて指定された音楽情報が、端末にて指定された画像情報とともに、また、端末にて指定されたレイアウトで印刷された印刷物が提供されることになる。なお、前記音楽配信手段が、前記音楽情報とともに前記印刷物に印刷される画像情報、及び前記印刷物のレイアウトを指定可能な画面を前記端末に提供する場合は、端末にて指定された画像情報の印刷及びレイアウトの使用が前記注文管理手段に通知され、前記注文管理手段においてこれらの情報が前記印刷注文情報に含めて前記注文情報データベースに登録されることになる。
【発明の効果】
【００１３】
以上説明したように本発明においては、端末にて指定された音楽情報の印刷を印刷注文情報として注文情報データベースに登録して管理する注文管理手段が、音楽情報が印刷された印刷物の形態を指定可能な情報画面を端末に提供し、端末にて指定された形態を印刷注文情報に含めて注文情報データベースに登録し、また、注文情報データベースに登録された印刷注文情報に基づいて、端末にて印刷が指定された音楽情報を、複数の音楽情報が登録された音楽情報データベースから検索して印刷する印刷手段が、注文情報データベースに登録された印刷注文情報に基づいて、端末にて指定された音楽情報を、端末にて指定された形態の印刷物として印刷する構成としたため、端末にて印刷が指定された音楽情報が、端末にて指定された形態の印刷物として印刷されることになり、歌詞や楽譜等の音楽情報を利用者の用途に応じた形態で印刷することができる。
【００１４】
また、端末にて音楽配信が指定された場合に指定された音楽をその端末に配信し、端末にて音楽情報の印刷及びその印刷物の形態が指定された場合にその旨を注文管理手段に通知する音楽配信手段を有する構成としたものにおいては、注文管理手段において、音楽配信手段から通知された音楽情報の印刷及びその印刷物の形態を印刷注文情報として注文情報データベースに登録して管理することになり、音楽を配信するシステムと融合することができる。
【発明を実施するための最良の形態】
【００１５】
以下に、本発明の実施の形態について図面を参照して説明する。
【００１６】
（第１の実施の形態）
図１は、本発明の音楽情報印刷システムの第１の実施の形態を示す図である。
【００１７】
本形態は図１に示すように、通信回線であるインターネット６０に接続可能な複数の端末１０−１〜１０−ｎを用いて利用可能なものであって、インターネット６０に接続可能に構成され、端末１０−１〜１０−ｎにて指定された音楽情報である歌詞の印刷を受け付ける注文管理手段である歌詞注文管理システム２０と、歌詞注文管理システム２０にて端末１０−１〜１０−ｎから受け付けた注文に基づいて歌詞が印刷された印刷物を作製する印刷手段である印刷システム５０とから構成されている。
【００１８】
歌詞注文管理システム２０は、Ｗｅｂサーバ２１と、メールサーバ２２と、注文管理サーバ３０とから構成されている。
【００１９】
Ｗｅｂサーバ２１は、端末１０−１〜１０−ｎからのアクセスによって情報画面を提供する。Ｗｅｂサーバ２１から端末１０−１〜１０−ｎに提供される情報画面としては、印刷システム５０にて歌詞が印刷される楽曲を検索するための画面や、検索された楽曲の中から印刷システム５０にて歌詞が印刷される楽曲を選択するための画面や、印刷システム５０にて歌詞が印刷される印刷物の形態を選択するための画面や、印刷システム５０にて歌詞とともに印刷される画像を選択するための画面や、印刷システム５０にて歌詞が印刷される印刷物のレイアウトを選択するための画面や、端末１０−１〜１０−ｎにおける注文内容を確認するための画面等がある。
【００２０】
メールサーバ２２は、端末１０−１〜１０−ｎにて指定された音楽情報の印刷を受け付けた後に、この注文内容を確認するための電子メールを、注文元となる端末に送信する。この電子メールには、注文内容が掲載された情報画面のアクセス先を示すＵＲＬが貼り付けてあり、このＵＲＬをクリックによって指定することにより、注文内容が掲載された情報画面が端末に表示されて注文内容を確認することができる。
【００２１】
注文管理サーバ３０は、歌詞情報管理部３１と、画像情報管理部３２と、レイアウト情報管理部３３と、印刷形態管理部３４と、注文情報管理部３５とから構成されている。
【００２２】
歌詞情報管理部３１は、音楽情報データベースである歌詞情報データベース４１に登録された歌詞情報を管理する。歌詞情報データベース４１には、楽曲の歌詞が、その楽曲名及び歌唱するアーティスト名と対応づけて登録されている。また、歌詞情報データベース４１に登録されたこれらの情報には、その楽曲毎に識別可能な曲ＩＤが付与されている。
【００２３】
印刷形態管理部３４は、印刷システム５０にて作製される印刷物の形態を管理している。印刷システム５０にて作製される印刷物の形態としては、ポストカード、歌詞カード、冊子、シール、ポスター、アルバム等の形態が管理されている。
【００２４】
画像情報管理部３２は、印刷システム５０にて歌詞情報とともに印刷物に印刷される画像情報を画像情報データベース４２にて管理する。画像情報データベース４２には、印刷形態管理部３４にて管理されている印刷物の形態に応じて、印刷システム５０にて歌詞情報とともに印刷物に印刷される画像情報が登録されている。この画像情報には、画像情報を識別可能な画像ＩＤが付与されている。
【００２５】
レイアウト管理部３３は、印刷システム５０にて作製される印刷物における歌詞と画像のレイアウト情報をレイアウト情報データベース４３にて管理する。レイアウト情報データベース４３には、印刷形態管理部３４にて管理されている印刷物の形態に応じて、印刷システム５０にて作製される印刷物について、歌詞が表示される領域と画像が表示される領域とを設定する情報等からなるレイアウト情報が登録されている。このレイアウト情報には、レイアウト情報を識別可能なレイアウトＩＤが付与されている。
【００２６】
注文情報管理部３５は、Ｗｅｂサーバ２１から端末１０−１〜１０−ｎに提供された情報画面を用いた指定に基づいて、印刷システム５０にて作製される印刷物の注文を受け付け、注文情報データベース４４に印刷注文情報として登録して管理する。注文情報データベース４４には、Ｗｅｂサーバ２１から端末１０−１〜１０−ｎに提供された情報画面を用いて指定された楽曲の曲ＩＤ、画像ＩＤ、レイアウトＩＤ、印刷物の形態及び印刷物の配送先情報が注文毎に登録されており、これらの情報に注文毎に注文ＩＤが付与されている。
【００２７】
印刷システム５０は、情報検索部５１と、情報組立部５２と、印刷部５３とから構成されている。
【００２８】
情報検索部５１は、注文情報データベース４４に登録された印刷注文情報を取得し、歌詞情報データベース４１からこの注文情報に含まれる曲ＩＤによって識別される楽曲の歌詞を検索し、また、画像情報データベース４２からこの印刷注文情報に含まれる画像ＩＤによって識別される画像情報を検索し、また、レイアウト情報データベース４３からこの印刷注文情報に含まれるレイアウトＩＤによって識別されるレイアウト情報を検索する。
【００２９】
情報組立部５２は、情報検索部５１にて取得された印刷注文情報に含まれる印刷物の形態と、情報検索部５１にて検索された歌詞、画像及びレイアウト情報に基づいて、印刷物に印刷する印刷データを組み立てる。
【００３０】
印刷部５３は、情報組立部５２にて組み立てられた印刷データを、情報検索部５１にて取得された印刷注文情報に含まれる印刷物の形態として印刷する。
【００３１】
以下に、上記のように構成された音楽情報印刷システムにおいて歌詞が印刷された印刷物を作製する際の処理について説明する。
【００３２】
まず、端末１０−１〜１０−ｎにおいて歌詞が印刷された印刷物の作製が注文される際の処理について、端末１０−１にて印刷物の作製が注文される際の処理を例に挙げて説明する。
【００３３】
図２は、図１に示した音楽情報印刷システムにおいて端末１０−１にて歌詞が印刷された印刷物の作製が注文される際の処理を説明するためのフローチャートである。
【００３４】
端末１０−１の利用者が、図１に示した音楽情報印刷システムを用いて歌詞が印刷された印刷物の作製を注文するために、歌詞プリントサービスを行っている歌詞注文管理システム２０にアクセスすると（ステップＳ１）、まず、歌詞注文管理システム２０のＷｅｂサーバ２１から、歌詞を印刷する楽曲を検索するための楽曲検索画面が送信され（ステップＳ２）、インターネット６０を介して端末１０−１にて受信されて表示される（ステップＳ３）。
【００３５】
図３は、図１に示した歌詞注文管理システム２０から送信されて端末１０−１にて表示される楽曲検索画面の一例を示す図である。
【００３６】
図３に示すように、Ｗｅｂサーバ２１から送信されて端末１０−１に表示される楽曲検索画面には、検索種別を選択するための検索種別選択領域６３と、検索条件を入力するための検索条件入力領域６１と、検索条件入力領域６１に入力した条件で検索をかけるための検索ボタン６２とが設けられている。検索種別選択領域６３は、「アーティスト名」、「曲名」、「歌詞」等といった検索種別のそれぞれにラジオボタンが設けられており、それにより、１つの検索種別が選択されることになる。検索条件入力領域６１には、検索種別選択領域６３にて選択した検索種別に応じて検索条件を入力することになる。例えば、検索種別選択領域６３にて「アーティスト名」を選択した場合は、検索条件として、歌詞を印刷したい楽曲を歌唱するアーティスト名を入力し、検索種別選択領域６３にて「曲名」を選択した場合は、検索条件として、歌詞を印刷したい曲名を入力し、検索種別選択領域６３にて「歌詞」を選択した場合は、検索条件として、歌詞を印刷したい曲名の歌詞を入力することになる。
【００３７】
図３に示した楽曲検索画面に対して、検索種別選択領域６３にて検索種別が選択され、検索条件入力領域６１に検索条件が入力されて検索ボタン６２が押下されると、検索種別選択領域６３にて選択された検索種別と、検索条件入力領域６１に入力された検索条件とが送信され（ステップＳ４）、Ｗｅｂサーバ２１にて受信される（ステップＳ５）。
【００３８】
検索種別選択領域６３にて選択された検索種別と検索条件入力領域６１に入力された検索条件とがＷｅｂサーバ２１にて受信されると、Ｗｅｂサーバ２１にて受信された検索種別及び検索条件は、注文管理サーバ３０に送られ、注文管理サーバ３０の歌詞情報管理部３１において、歌詞情報データベース４１が参照され、Ｗｅｂサーバ２１から送られてきた検索種別及び検索条件に基づいて、歌詞を印刷する楽曲が検索される（ステップＳ６）。
【００３９】
図４は、図１に示した歌詞情報データベース４１の構成例を示す図である。
【００４０】
図４に示すように、図１に示した歌詞情報データベース４１には、楽曲の歌詞が、その楽曲名及び楽曲を歌唱するアーティスト名と対応づけて登録されている。また、楽曲毎に、楽曲を識別可能な曲ＩＤが付与されている。
【００４１】
歌詞情報管理部３１においては、Ｗｅｂサーバ２１から送られてきた検索種別が「アーティスト名」である場合は、歌詞情報データベース４１に登録されたアーティスト名の中からそのアーティスト名に対応づけられた楽曲が検索される。また、Ｗｅｂサーバ２１から送られてきた検索種別が「曲名」である場合は、歌詞情報データベース４１に登録された曲名の中からその曲名を含む楽曲が検索され、また、Ｗｅｂサーバ２１から送られてきた検索種別が「歌詞」である場合は、歌詞情報データベース４１に登録された歌詞の中からその歌詞を含む楽曲が検索されることになる。これにより、所望の楽曲の曲名や歌詞の一部しかわからない場合であっても、その一部を入力することにより所望の楽曲を検索可能となっている。
【００４２】
歌詞情報管理部３１における検索結果はＷｅｂサーバ２１に送信されＷｅｂサーバ２１において、ステップＳ４にて選択された検索種別と入力された検索条件とによる検索結果が掲載された検索結果画面が作製されて送信される（ステップＳ７）。
【００４３】
Ｗｅｂサーバ２１から送信された検索結果画面は、インターネット６０を介して端末１０−１にて受信されて表示される（ステップＳ８）。
【００４４】
図５は、図１に示した歌詞注文管理システム２０から送信されて端末１０−１にて表示される検索結果画面の一例を示す図である。
【００４５】
図５に示すように、歌詞注文管理システム２０のＷｅｂサーバ２１から送信されて端末１０−１にて表示される検索結果画面には、歌詞情報管理部３１にて歌詞情報データベース４１から検索された楽曲名が検索結果６４として掲載されているとともに、この検索結果６４として掲載された楽曲の中から、印刷システム５０にて歌詞を印刷する楽曲を選択するための楽曲選択領域６５と、楽曲選択領域６５における選択を決定するための選択ボタン６６が設けられている。なお、楽曲選択領域６５は、チェックボックスによって選択可能となっており、それにより、検索結果６４として掲載された楽曲の中から複数の楽曲を選択可能となっている。
【００４６】
楽曲選択領域６５のチェックボックスのうち、印刷システム５０にて歌詞を印刷する楽曲のチェックボックスにチェックが入力され、選択ボタン６６が押下されると（ステップＳ９）、注文管理サーバ３０の注文情報管理部３５において、印刷システム５０にて歌詞を印刷する楽曲が受け付けられる（ステップＳ１０）。この楽曲の受け付けは、その楽曲に付与された曲ＩＤを用いて行われる。またこの際、注文ＩＤが付与され、注文情報管理部３５において、選択された楽曲の曲ＩＤと注文ＩＤとが対応づけて管理される。
【００４７】
次に、歌詞注文管理システム２０のＷｅｂサーバ２１から、印刷システム５０にて作製する印刷物の形態を選択するための印刷タイプ選択画面が送信され（ステップＳ１１）、端末１０−１にて受信されて表示される（ステップＳ１２）。印刷システム５０にて作製可能な印刷物の形態は、注文管理サーバ３０の印刷形態管理部３４にて管理されており、Ｗｅｂサーバ２１においては、印刷形態管理部３４にて管理されている印刷物のタイプを選択するための画面が送信されることになる。
【００４８】
図６は、図１に示したＷｅｂサーバ２１から送信されて端末１０−１にて表示される印刷物の形態を選択するための印刷タイプ選択画面の一例を示す図である。
【００４９】
図６に示すように、図１に示したＷｅｂサーバ２１から送信されて端末１０−１にて表示される印刷物の形態を選択するための印刷タイプ選択画面には、印刷システム５０にて作製する印刷物の形態を選択するための印刷タイプ選択領域６７と、印刷タイプ選択領域６７における選択を決定するための選択ボタン６８とが設けられている。なお、印刷タイプ選択領域６７は、「カード」、「冊子」、「ポストカード」等といった印刷物の形態のそれぞれにラジオボタンが設けられており、それにより、１つの形態が選択されることになる。なお、本形態においては、印刷システム５０にて作製する印刷物の形態として、「カード」、「冊子」、「ポストカード」が選択可能となっているが、印刷物として考えられる形態であれば、その他、ポスターやアルバム等を選択可能とすることができる。
【００５０】
印刷タイプ選択領域６７のラジオボタンのうち、印刷システム５０にて作製する印刷物の形態のラジオボタンが選択され、選択ボタン６８が押下されると（ステップＳ１３）、注文管理サーバ３０の注文情報管理部３５において、印刷システム５０にて作製する印刷物の形態が受け付けられる（ステップＳ１４）。この印刷物の形態の受け付けは、印刷形態管理部３４にてその形態に応じて形態ＩＤを付与しておき、この形態ＩＤを用いて行うことも考えられる。またこの際、受け付けられた印刷物の形態は、ステップＳ１０にて楽曲が受け付けられた際に付与された注文ＩＤに対応づけられる。
【００５１】
次に、歌詞注文管理システム２０のＷｅｂサーバ２１から、印刷システム５０においてステップＳ９にて選択された楽曲の歌詞とともに印刷物に印刷する画像を選択するための画像選択画面が送信され（ステップＳ１５）、端末１０−１にて受信されて表示される（ステップＳ１６）。印刷システム５０にて楽曲の歌詞とともに印刷物に印刷される画像情報は画像情報データベース４２に登録されており、画像情報管理部３２において、画像情報データベース４２に登録された画像情報の中から、ステップＳ１３にて選択された印刷物の形態に応じて印刷物に印刷可能な画像情報が検索され、その画像情報を選択するための画面がＷｅｂサーバ２１から送信されることになる。すなわち、画像情報管理部３２においては、画像情報データベース４２に登録された画像情報を、印刷物の形態に対応づけて管理している。
【００５２】
図７は、図１に示したＷｅｂサーバ２１から送信されて端末１０−１にて表示される画像選択画面の一例を示す図である。
【００５３】
図７に示すように、図１に示したＷｅｂサーバ２１から送信されて端末１０−１にて表示される画像情報を選択するための画像選択画面には、印刷システム５０にて歌詞とともに印刷物に印刷する画像を選択するための画像選択領域６９と、画像選択領域６９における選択を決定するための選択ボタン７０とが設けられている。なお、画像選択領域６９は、画像情報のそれぞれにラジオボタンが設けられており、それにより、１つの画像が選択されることになる。
【００５４】
画像選択領域６９のラジオボタンのうち、印刷システム５０にて印刷物に歌詞とともに印刷する画像のラジオボタンが選択され、選択ボタン７０が押下されると（ステップＳ１７）、注文管理サーバ３０の注文情報管理部３５において、印刷システム５０にて歌詞とともに印刷する画像が受け付けられる（ステップＳ１８）。この画像の受け付けは、画像情報データベース４２に登録された画像のそれぞれに画像ＩＤが付与されており、この画像ＩＤを用いて行われる。またこの際、受け付けられた画像ＩＤは、ステップＳ１０にて楽曲が受け付けられた際に付与された注文ＩＤに対応づけられる。
【００５５】
次に、歌詞注文管理システム２０のＷｅｂサーバ２１から、印刷システム５０においてステップＳ９にて選択された楽曲の歌詞とステップＳ１７にて選択された画像とをどのようなレイアウトで印刷物に印刷するかを選択するためのレイアウト選択画面が送信され（ステップＳ１９）、端末１０−１にて受信されて表示される（ステップＳ２０）。印刷システム５０にて作製する印刷物のレイアウト情報はレイアウト情報データベース４３に登録されており、レイアウト情報管理部３３において、レイアウト情報データベース４３に登録されたレイアウト情報の中から、ステップＳ１３にて選択された印刷物の形態に応じたレイアウト情報が検索され、そのレイアウト情報を選択するための画面がＷｅｂサーバ２１から送信されることになる。すなわち、レイアウト情報管理部３３においては、レイアウト情報データベース４３に登録されたレイアウト情報を、印刷物の形態に対応づけて管理している。
【００５６】
図８は、図１に示したＷｅｂサーバ２１から送信されて端末１０−１にて表示されるレイアウト選択画面の一例を示す図である。
【００５７】
図８に示すように、図１に示したＷｅｂサーバ２１から送信されて端末１０−１にて表示されるレイアウト選択画面には、印刷システム５０にて印刷物に印刷される歌詞と画像とのレイアウトを選択するためのレイアウト選択領域７１と、レイアウト選択領域７１における選択を決定するための選択ボタン７２とが設けられている。なお、レイアウト選択領域７１は、レイアウト情報のそれぞれにラジオボタンが設けられており、それにより、１つのレイアウトが選択されることになる。なお、選択されるレイアウト情報は、上述したように、歌詞が表示される領域と画像が表示される領域とを設定する情報等からなるものである。
【００５８】
レイアウト選択領域７１のラジオボタンのうち、印刷システム５０にて作製される印刷物のレイアウトのラジオボタンが選択され、選択ボタン７２が押下されると（ステップＳ２１）、注文管理サーバ３０の注文情報管理部３５において、印刷システム５０にて作製される印刷物のレイアウトの使用が受け付けられる（ステップＳ２２）。このレイアウトの受け付けは、レイアウト情報データベース４３に登録されたレイアウトのそれぞれにレイアウトＩＤが付与されており、このレイアウトＩＤを用いて行われる。またこの際、受け付けられたレイアウトＩＤは、ステップＳ１０にて楽曲が受け付けられた際に付与された注文ＩＤに対応づけられる。
【００５９】
次に、歌詞注文管理システム２０のＷｅｂサーバ２１から、印刷システム５０にて作製された印刷物の配送先の住所や氏名等の配送先情報を入力するための配送先情報入力画面が送信され（ステップＳ２３）、端末１０−１にて受信されて表示される（ステップＳ２４）。
【００６０】
そして、端末１０−１において、配送先情報入力画面に印刷システム５０にて作製された印刷物の配送先の住所や氏名等の配送先情報が入力されて送信されると（ステップＳ２５）、注文管理サーバ３０の注文情報管理部３５において、印刷システム５０にて作製された印刷物の配送先の配送先情報が受け付けられる（ステップＳ２６）。またこの際、受け付けられた配送先情報は、ステップＳ１０にて楽曲が受け付けられた際に付与された注文ＩＤに対応づけられる。
【００６１】
次に、歌詞注文管理システム２０のＷｅｂサーバ２１において、上述した一連の処理によって指定され、注文管理サーバ３０の注文情報管理部３５にて管理されている注文内容を確認するための注文確認画面が作製されて送信され（ステップＳ２７）、端末１０−１にて受信されて表示される（ステップＳ２８）。
【００６２】
図９は、図１に示したＷｅｂサーバ２１から送信されて端末１０−１にて表示される注文確認画面の一例を示す図である。
【００６３】
図９に示すように、Ｗｅｂサーバ２１から送信されて端末１０−１にて表示される注文確認画面には、ステップＳ９にて選択した楽曲名とステップＳ１３にて選択した印刷物の形態とからなる注文内容７３と、ステップＳ２５にて入力した配送先情報７４が掲載されているとともに、注文内容７３に応じた料金７５が掲載され、また、この内容で注文する場合に押下する注文ボタン７６が設けられている。なお、料金７５は、歌詞を印刷する楽曲の数及び印刷物の形態に応じて決まる。印刷形態管理部３４においては、印刷物の形態に応じた料金が設定されており、この設定に応じて料金が決定することになる。
【００６４】
図９に示した注文確認画面の内容が確認された後、注文ボタン７６が押下されると（ステップＳ２９）、注文管理サーバ３０の注文情報管理部３５にて管理されている注文内容が受け付けられ、注文ＩＤが付与された状態で印刷注文情報として注文情報データベース４４に登録される（ステップＳ３０）。すなわち、ステップＳ９にて選択された楽曲、ステップＳ１３にて選択された印刷物の形態、ステップＳ１７にて選択された画像、ステップＳ２１にて選択されたレイアウト、並びにステップＳ２５にて入力された配送先情報からなる注文内容が、注文ＩＤによって識別可能な状態で注文情報データベース４４に登録される。
【００６５】
また、歌詞注文管理システム２０のＷｅｂサーバ２１において、ステップＳ２９にて確認された注文内容が受け付けられた旨を示す注文受付画面が作製されて送信され（ステップＳ３１）、端末１０−１にて受信されて表示される（ステップＳ３２）。
【００６６】
図１０は、図１に示したＷｅｂサーバ２１から送信されて端末１０−１にて表示される注文受付画面の一例を示す図である。
【００６７】
図１０に示すように、Ｗｅｂサーバ２１から送信されて端末１０−１にて表示される注文受付画面には、注文を確認した注文受付画面に掲載されたものと同様の注文内容７３、配送先情報７４及び料金７５が掲載されている。端末１０−１の利用者は、その後、この注文受付画面に掲載された料金７５に基づいて代金を支払うことになる。
【００６８】
次に、歌詞注文管理システム２０から端末１０−１〜１０−ｎに注文確認メールを送信する際の処理について、歌詞注文管理システム２０から端末１０−１に注文確認メールを送信する際の処理を例に挙げて説明する。
【００６９】
図１１は、図１に示した音楽情報印刷システムにおいて歌詞注文管理システム２０から端末１０−１に注文確認メールを送信する際の処理を説明するためのフローチャートである。
【００７０】
図２に示した歌詞の印刷の注文処理において、例えば、ステップＳ２４における配送先情報を入力する際に、端末１０−１の電子メールアドレスを入力し、歌詞注文管理システム２０に送信しておく。歌詞注文管理システム２０においては、この電子メールアドレスを配送先情報とともに注文ＩＤに対応づけて注文情報データベース４４に登録して管理しておく。
【００７１】
歌詞注文管理システム２０においては、メールサーバ２２から、注文情報データベース４４に登録された電子メールアドレスが宛先とされ、この電子メールアドレスの注文ＩＤに対応づけられた図１０に示したような注文画面のアクセス先を示すＵＲＬが掲載された電子メールが送信される（ステップＳ４１）。なお、注文情報データベース４４には、配送先情報及び印刷物の形態が登録されているものの、印刷物に歌詞が印刷される楽曲については、その楽曲名が登録されているわけではなく、曲ＩＤが登録されている。そのため、メールサーバ２２にて上述した電子メールを作成する場合に、歌詞情報データベース４１を参照してその楽曲ＩＤに対応する楽曲名を検索するか、あるいは、図１０に示した画面自体を注文ＩＤに対応づけて注文管理サーバ３０に登録しておく。
【００７２】
歌詞注文管理システム２０のメールサーバ２２から送信された電子メールが端末１０−１にて受信、表示された後（ステップＳ４２）、端末１０−１に表示された電子メールに掲載されたＵＲＬがクリックされると（ステップＳ４３）、図１０に示したような注文確認画面が歌詞注文管理システム２０から送信され（ステップＳ４４）、端末１０−１にて受信、表示される（ステップＳ４５）。
【００７３】
これにより、歌詞の印刷を注文した利用者は、この電子メールを端末１０−１に保存しておくことにより、注文内容をいつでも確認することができる。ただし、電子メールに掲載されたＵＲＬの参照は予め設定された期間が過ぎた場合に無効とすることが好ましい。
【００７４】
次に、歌詞注文管理システム２０にて受け付けられた注文に従って印刷システム５０にて印刷物を作製する際の処理について説明する。
【００７５】
図１２は、図１に示した音楽情報印刷システムにおいて歌詞注文管理システム２０にて受け付けられた注文に従って印刷システム５０にて印刷物を作製する際の処理を説明するためのフローチャートである。
【００７６】
印刷システム５０においては、まず、情報検索部５１において、注文情報データベース４４に登録された印刷注文情報が取得される（ステップＳ５１）。この印刷注文情報は、配送先情報、印刷物の形態、楽曲ＩＤ、画像ＩＤ及びレイアウトＩＤからなり、注文ＩＤが付与されている。
【００７７】
次に、情報検索部５１において、注文情報データベース４４から取得した印刷注文情報に含まれる印刷物の形態が確認される（ステップＳ５２）。
【００７８】
次に、情報検索部５１において、歌詞情報データベース４１の中から、注文情報データベース４４から取得した印刷注文情報に含まれる楽曲ＩＤによって識別される歌詞が検索される（ステップＳ５３）。この際、歌詞情報データベース４１には、図４に示したように、歌詞の他に、アーティスト名や楽曲名が登録されており、歌詞とともに印刷物にこれらを印刷する場合は、これらアーティスト名や楽曲名も歌詞情報データベース４１の中から検索されることになる。
【００７９】
次に、情報検索部５１において、画像情報データベース４２の中から、注文情報データベース４４から取得した印刷注文情報に含まれる画像ＩＤによって識別される画像情報が検索され（ステップＳ５４）、また、レイアウト情報データベース４３の中から、注文情報データベース４４から取得した印刷注文情報に含まれるレイアウトＩＤによって識別されるレイアウト情報が検索される（ステップＳ５５）。
【００８０】
次に、情報組立部５２において、情報検索部５１にて取得された印刷注文情報に含まれる印刷物の形態と、情報検索部５１にて検索された歌詞、画像及びレイアウト情報に基づいて、印刷物として印刷する印刷データが組み立てられる（ステップＳ５６）。
【００８１】
次に、印刷部５３において、情報組立部５２にて組み立てられた印刷データが、情報検索部５１にて取得された印刷注文情報に含まれる印刷物の形態として印刷され（ステップＳ５７）、その後、作製された印刷物が、印刷注文情報に含まれる配送先情報に従って配送先に配送される（ステップＳ５８）。なお、配送先情報を印刷物に印刷する場合は、情報組立部５２において、印刷データを組み立てる際に、注文情報データベース４４から取得した印刷注文情報に含まれる配送先情報も印刷データに含める。
【００８２】
このようにして、端末１０−１〜１０−ｎの利用者が指定する楽曲の歌詞が、ポストカーやカード、冊子といった所望の印刷形態で印刷された印刷物が提供されることになる。
【００８３】
（第２の実施の形態）
図１３は、本発明の音楽情報印刷システムの第２の実施の形態を示す図である。
【００８４】
本形態は図１３に示すように、第１の実施の形態に示したものに対して、端末１０−１〜１０−ｎに音楽を配信する音楽配信手段である音楽配信システム８０がインターネット６０に接続可能に設けられている点のみが異なるものである。
【００８５】
音楽配信システム８０は、端末１０−１〜１０−ｎに情報画面を提供するＷｅｂサーバ８１と、端末１０−１〜１０−ｎに対して電子メールを送受信するメールサーバ８２と、端末１０−１〜１０−ｎからの音楽の配信や印刷システム５０における歌詞の印刷の注文を受け付けて管理する注文管理サーバ８３と、楽曲データベース８５に登録された音楽の中から注文管理サーバ８３にて受け付けられた注文に応じた音楽を端末１０−１〜１０−ｎに配信する楽曲配信サーバ８４とから構成されている。なお、楽曲データベース８５に登録された楽曲には、歌詞情報データベース４１に登録された歌詞情報と同一の楽曲ＩＤが付与されている。
【００８６】
以下に、上記のように構成された音楽情報印刷システムにおいて、端末１０−１〜１０−ｎにて歌詞が印刷された印刷物の作製が注文される際の処理について、端末１０−１にて印刷物の作製が注文される際の処理を例に挙げて説明する。
【００８７】
図１４は、図１３に示した音楽情報印刷システムにおいて端末１０−１にて歌詞が印刷された印刷物の作製が注文される際の処理を説明するためのフローチャートである。
【００８８】
端末１０−１の利用者が、図１３に示した音楽情報印刷システムを用いて歌詞が印刷された印刷物の作製を注文するために、音楽配信サービスを行っている音楽配信システム８０にアクセスすると（ステップＳ１０１）、まず、音楽配信システム８０のＷｅｂサーバ８１から、楽曲を検索するための楽曲検索画面が送信され（ステップＳ１０２）、インターネット６０を介して端末１０−１にて受信されて表示される（ステップＳ１０３）。
【００８９】
音楽配信システム８０のＷｅｂサーバ８１から端末１０−１に送信される楽曲検索画面は、例えば図３に示したようなものであり、この楽曲検索画面に対して楽曲の検索条件が入力されて端末１０−１から送信され（ステップＳ１０４）、Ｗｅｂサーバ８１にて受信されると（ステップＳ１０５）、Ｗｅｂサーバ８１にて受信された検索条件は、注文管理サーバ８３に送られ、注文管理サーバ８３において、楽曲データベース８５が参照され、Ｗｅｂサーバ８１から送られてきた検索条件に基づいて楽曲が検索される（ステップＳ１０６）。
【００９０】
注文管理サーバ８３における検索結果はＷｅｂサーバ８１に送信され、Ｗｅｂサーバ８１において、ステップＳ１０４にて入力された検索条件による検索結果が掲載された検索結果画面が作製されて送信される（ステップＳ１０７）。
【００９１】
Ｗｅｂサーバ８１から送信された検索結果画面は、インターネット６０を介して端末１０−１にて受信されて表示される（ステップＳ１０８）。
【００９２】
図１５は、図１３に示した音楽配信システム８０から送信されて端末１０−１にて表示される検索結果画面の一例を示す図である。
【００９３】
図１５に示すように、音楽配信システム８０のＷｅｂサーバ８１から送信されて端末１０−１にて表示される検索結果画面には、注文管理サーバ８３にて楽曲データベース８５から検索された楽曲名が検索結果９１として掲載されているとともに、この検索結果９１として掲載された楽曲の中から端末１０−１にダウンロードする楽曲を選択するための音楽配信選択領域９２と、この検索結果９１として掲載された楽曲の中から印刷システム５０にて歌詞を印刷する楽曲を選択するための歌詞印刷選択領域９３と、音楽配信選択領域９２及び歌詞印刷選択領域９３における選択を決定するための選択ボタン９４とが設けられている。なお、音楽配信選択領域９２及び歌詞印刷選択領域９３は、チェックボックスによって選択可能となっており、それにより、検索結果６４として掲載された楽曲の中から複数の楽曲を選択可能となっている。
【００９４】
歌詞印刷選択領域９３のチェックボックスのうち、印刷システム５０にて歌詞を印刷する楽曲のチェックボックスにチェックが入力され、選択ボタン９４が押下されると（ステップＳ１０９）、音楽配信システム８０の注文管理サーバ８３において、歌詞印刷選択領域９３のチェックボックスにチェックが入力された楽曲が、印刷システム５０にて歌詞を印刷する楽曲として受け付けられる（ステップＳ１１０）。この際、受け付けられた楽曲は、楽曲データベース８５にて付与されている楽曲ＩＤを用いて注文管理サーバ８３にて管理され、注文ＩＤが付与される。
【００９５】
次に、音楽配信システム８０のＷｅｂサーバ８１から、印刷システム５０にて作製する印刷物の形態を選択するための印刷タイプ選択画面が送信され（ステップＳ１１１）、端末１０−１にて受信されて表示される（ステップＳ１１２）。印刷システム５０にて作製可能な印刷物の形態は、音楽配信システム８０の注文管理サーバ８３にて管理されており、Ｗｅｂサーバ８１においては、注文管理サーバ８３にて管理されている印刷物の形態を選択するための画面が送信されることになる。
【００９６】
音楽配信システム８０のＷｅｂサーバ８１から端末１０−１に送信される印刷タイプ選択画面は、例えば図６に示したものであり、この印刷タイプ選択画面を用いて印刷物の形態が選択されると（ステップＳ１１３）、選択された印刷物の形態が注文管理サーバ８３にて受け付けられ、上述した注文ＩＤと対応づけられる（ステップＳ１１４）。
【００９７】
次に、音楽配信システム８０のＷｅｂサーバ８１から、印刷システム５０にて作製された印刷物の配送先の住所や氏名等の配送先情報を入力するための配送先情報入力画面が送信され（ステップＳ１１５）、端末１０−１にて受信されて表示される（ステップＳ１１６）。
【００９８】
そして、端末１０−１において、配送先情報入力画面に印刷システム５０にて作製された印刷物の配送先の住所や氏名等の配送先情報が入力されて送信されると（ステップＳ１１７）、注文管理サーバ８３において、印刷システム５０にて作製された印刷物の配送先の配送先情報が受け付けられる（ステップＳ１１８）。この際、受け付けられた配送先情報は、ステップＳ１１０にて受信された楽曲と対応づけられ、注文ＩＤが付与される。
【００９９】
次に、音楽配信システム８０のＷｅｂサーバ８１において、上述した一連の処理によって指定され、注文管理サーバ８３にて管理されている注文内容を確認するための注文確認画面が作製されて送信され（ステップＳ１１９）、端末１０−１にて受信されて表示される（ステップＳ１２０）。
【０１００】
音楽配信システム８０のＷｅｂサーバ８１から端末１０−１に送信される注文確認画面は、例えば図９に示したものであり、この注文確認画面を用いて注文内容が確認されると（ステップＳ１２１）、音楽配信システム８０のＷｅｂサーバ８１において、確認された注文内容が受け付けられた旨を示す注文受付画面が作製されて送信され（ステップＳ１２２）、端末１０−１にて受信されて表示される（ステップＳ１２３）。
【０１０１】
また、音楽配信システム８０の注文管理サーバ８３から、確認された注文内容が歌詞注文管理システム２０に送信される（ステップＳ１２４）。この注文内容の送信は、音楽配信システム８０の注文管理サーバ８３にて注文ＩＤに対応づけられて管理されている楽曲ＩＤと印刷物の形態と配送先情報とを送信することによって行われる。
【０１０２】
音楽配信システム８０の注文管理サーバ８３から送信された注文内容は、歌詞注文管理システム８０の注文管理サーバ３０にて受信され（ステップＳ１２５）、注文管理サーバ３０の注文情報管理部３５において、音楽配信システム８０の注文管理サーバ８３から送信されてきた注文内容が印刷注文情報として注文情報データベース４４に登録されて注文が受け付けられる（ステップＳ１２６）。
【０１０３】
その後、第１の実施の形態に示したものと同様に、印刷システム５０において、注文情報データベース４４に登録された印刷注文情報に基づいて、歌詞が印刷された印刷物が作製されることになる。
【０１０４】
また、印刷システム５０における歌詞の印刷代金は、音楽配信システム８０から歌詞注文管理システム２０に支払われるとともに、音楽配信システム８０から端末１０−１の利用者に請求され、端末１０−１の利用者が音楽配信システム８０に支払うことになる。
【０１０５】
このようにして、第１の実施の形態にて示した音楽情報印刷システムを、音楽を配信するシステムと融合させることができる。
【０１０６】
なお、本形態においても、第１の実施の形態にて示したもののように、印刷物に画像を含ませることや、印刷物のレイアウトを指定する構成とすることも考えられる。
【０１０７】
また、上述した２つの実施の形態においては、楽曲の歌詞を印刷するものを例に挙げて説明したが、本発明において印刷される音楽情報としては、楽譜等であってもよい。
【０１０８】
また、上述した２つの実施の形態のように歌詞が印刷された印刷物を提供するのではなく、ＰＤＦファイル等、歌詞を印刷可能な形態で端末１０−１〜１０−ｎに提供する形態とすることも考えられる。
【図面の簡単な説明】
【０１０９】
【図１】本発明の音楽情報印刷システムの第１の実施の形態を示す図である。
【図２】図１に示した音楽情報印刷システムにおいて端末にて歌詞が印刷された印刷物の作製が注文される際の処理を説明するためのフローチャートである。
【図３】図１に示した歌詞注文管理システムから送信されて端末にて表示される楽曲検索画面の一例を示す図である。
【図４】図１に示した歌詞情報データベースの構成例を示す図である。
【図５】図１に示した歌詞注文管理システムから送信されて端末にて表示される検索結果画面の一例を示す図である。
【図６】図１に示したＷｅｂサーバから送信されて端末にて表示される印刷物の形態を選択するための印刷タイプ選択画面の一例を示す図である。
【図７】図１に示したＷｅｂサーバから送信されて端末にて表示される画像選択画面の一例を示す図である。
【図８】図１に示したＷｅｂサーバから送信されて端末にて表示されるレイアウト選択画面の一例を示す図である。
【図９】図１に示したＷｅｂサーバから送信されて端末にて表示される注文確認画面の一例を示す図である。
【図１０】図１に示したＷｅｂサーバから送信されて端末にて表示される注文受付画面の一例を示す図である。
【図１１】図１に示した音楽情報印刷システムにおいて歌詞注文管理システムから端末に注文確認メールを送信する際の処理を説明するためのフローチャートである。
【図１２】図１に示した音楽情報印刷システムにおいて歌詞注文管理システムにて受け付けられた注文に従って印刷システムにて印刷物を作製する際の処理を説明するためのフローチャートである。
【図１３】本発明の音楽情報印刷システムの第２の実施の形態を示す図である。
【図１４】図１３に示した音楽情報印刷システムにおいて端末にて歌詞が印刷された印刷物の作製が注文される際の処理を説明するためのフローチャートである。
【図１５】図１３に示した音楽配信システムから送信されて端末にて表示される検索結果画面の一例を示す図である。
【符号の説明】
【０１１０】
１０−１〜１０−ｎ    端末
２０    歌詞注文管理システム
２１，８１    Ｗｅｂサーバ
２２，８２    メールサーバ
３０，８３    注文管理サーバ
３１    歌詞情報管理部
３２    画像情報管理部
３３    レイアウト情報管理部
３４    印刷形態管理部
３５    注文情報管理部
４１    歌詞情報データベース
４２    画像情報データベース
４３    レイアウト情報データベース
４４    注文情報データベース
５０    印刷システム
５１    情報検索部
５２    情報組立部
５３    印刷部
８０    音楽配信システム
８４    楽曲配信サーバ
８５    楽曲データベース
【図１】
2007317106.tif 000003
【図２】
2007317106.tif 000004
【図３】
2007317106.tif 000005
【図４】
2007317106.tif 000006
【図５】
2007317106.tif 000007
【図６】
2007317106.tif 000008
【図７】
2007317106.tif 000009
【図８】
2007317106.tif 000010
【図９】
2007317106.tif 000011
【図１０】
2007317106.tif 000012
【図１１】
2007317106.tif 000013
【図１２】
2007317106.tif 000014
【図１３】
2007317106.tif 000015
【図１４】
2007317106.tif 000016
【図１５】
2007317106.tif 000017